(57)【要約】【課題】本発明は、ラベル連続体に設けられた所定長のクリーニングシートを用いたクリーニングで、表面コート材のカス、紙粉、塵芥等を確実に除去し、手作業での清掃の周期を大幅に延長させることができると共に、消耗品であるラベル連続体の省資源化および低コスト化を実現することができるプリンタおよびラベル連続体を提供することを課題とする。【解決手段】マーク検出センサ１７によって、帯状台紙３に連接されたクリーニングシート７の先端部分と後端部分とにそれぞれ設けられたクリーニングマーク９を検出し、印字制御部１８は、マーク検出センサ１７によるクリーニングマーク９の検出に基づき、プラテンローラ１１の回転を制御してクリーニングシート７を往復動させる。【選択図】        図３
2008126489.tif 000002
【特許請求の範囲】
【請求項１】
複数枚のラベルが帯状台紙に仮着されているラベル連続体をプラテンローラとサーマルヘッドとの間に挟持搬送して印字を施すプリンタであって、
前記帯状台紙に連接されたクリーニングシートの先端部分と後端部分とにそれぞれ設けられたクリーニングマークを検出するマーク検出手段と、
該マーク検出手段によって検出された前記クリーニングマークに基づいて前記プラテンローラの回転を制御して前記クリーニングシートを往復動させる制御手段とを具備することを特徴とするプリンタ。
【請求項２】
前記マーク検出手段は、前記ラベルの先端位置を示すために前記帯状台紙に設けられたタイミングマークを検出し、
前記制御手段は、前記マーク検出手段によって検出されたのが前記タイミングマークもしくは前記クリーニングマークのいずれであるかを判断し、前記マーク検出手段によって前記タイミングマークが検出されたと判断した場合には、前記タイミングマークに基づいて、前記ラベルの先端位置を認識することで、前記プラテンローラの回転を制御して前記ラベル連続体を搬送させながら前記サーマルヘッドを選択的に発熱させて前記ラベルに印字を施し、前記マーク検出手段によって前記クリーニングマークが検出されたと判断した場合には、前記クリーニングマークに基づいて前記プラテンローラの回転を制御して前記クリーニングシートを往復動させることを特徴とする請求項１記載のプリンタ。
【請求項３】
前記クリーニングマークと、前記タイミングマークとは、前記ラベル連続体の搬送方向において異なる長さに設定されており、
前記制御手段は、前記マーク検出手段から出力される信号幅によって、前記タイミングマークもしくは前記クリーニングマークのいずれであるかを判断することを特徴とする請求項２記載のプリンタ。
【請求項４】
前記クリーニングマークと、前記タイミングマークとは、異なる反射率に設定されており、
前記制御手段は、前記マーク検出手段から出力される信号レベルによって、前記タイミングマークもしくは前記クリーニングマークのいずれであるかを判断することを特徴とする請求項２記載のプリンタ。
【請求項５】
複数枚のラベルが帯状台紙に仮着されているラベル連続体であって、
前記帯状台紙に連接されたクリーニングシートと、
該クリーニングシートの先端部分と後端部分とにそれぞれ設けられたクリーニングマークとを具備することを特徴とするラベル連続体。
【発明の詳細な説明】
【技術分野】
【０００１】
本発明は、複数枚のラベルが帯状台紙に仮着されているラベル連続体をプラテンローラとサーマルヘッドとの間に挟持搬送して印字を施すプリンタおよびラベル連続体に関し、特に帯状台紙に連接されたクリーニングシートによってクリーニングを行うプリンタおよびラベル連続体に関する。
【背景技術】
【０００２】
複数枚のラベルが帯状台紙に仮着されているラベル連続体をサーマルヘッドとプラテンローラとで挟持搬送して印字を施すプリンタでは、ラベルの表面に施されている表面コート材のカス、ラベル連続体の紙粉、塵芥等がサーマルヘッドやラベル連続体の供給路に付着することで、印字品質の劣化が生じることが知られており、サーマルヘッドやラベル連続体の供給路の定期的なクリーニングが必要である。
【０００３】
サーマルヘッドやラベル連続体の供給路が入り組んでおり、クリーニングを手作業で行う場合には、作業に手間がかかるため、手作業での清掃の周期の延長が望まれている。そこで、本出願人は、ラベル連続体の先端部にクリーニングシートである被粘着性のリードテープを設けることで、ラベル連続体を交換する毎にクリーニングが行えるようにし、手作業での清掃の周期を延長することを実現できる技術を提案している（例えば、特許文献１参照）。
【０００４】
しかしながら、ラベル連続体を交換毎に行われるクリーニングで表面コート材のカス、紙粉、塵芥等を確実に除去し、手作業での清掃の周期を大幅に延長させるためには、ラベル連続体に設けるクリーニングシートの長さを相当量にする必要があるが、表面コート材のカス、紙粉、塵芥等の除去を確実に行うために必要な長さのクリーニングシートをラベル連続体に設ける場合には、資源の無駄遣いになると共に、消耗品であるラベル連続体のコストアップに繋がってしまうというという問題点があった。
【０００５】
【特許文献１】特開平１０−３１９８４５号公報
【発明の開示】
【発明が解決しようとする課題】
【０００６】
本発明は斯かる問題点に鑑みてなされたものであり、その目的とするところは、ラベル連続体に設けられた所定長のクリーニングシートを用いたクリーニングで、表面コート材のカス、紙粉、塵芥等を確実に除去し、手作業での清掃の周期を大幅に延長させることができると共に、消耗品であるラベル連続体の省資源化および低コスト化を実現することができるプリンタを提供する点にある。
【課題を解決するための手段】
【０００７】
本発明は上記課題を解決すべく、以下に掲げる構成とした。
請求項１記載の発明の要旨は、複数枚のラベルが帯状台紙に仮着されているラベル連続体をプラテンローラとサーマルヘッドとの間に挟持搬送して印字を施すプリンタであって、前記帯状台紙に連接されたクリーニングシートの先端部分と後端部分とにそれぞれ設けられたクリーニングマークを検出するマーク検出手段と、該マーク検出手段によって検出された前記クリーニングマークに基づいて前記プラテンローラの回転を制御して前記クリーニングシートを往復動させる制御手段とを具備することを特徴とするプリンタに存する。
また請求項２記載の発明の要旨は、前記マーク検出手段は、前記ラベルの先端位置を示すために前記帯状台紙に設けられたタイミングマークを検出し、前記制御手段は、前記マーク検出手段によって検出されたのが前記タイミングマークもしくは前記クリーニングマークのいずれであるかを判断し、前記マーク検出手段によって前記タイミングマークが検出されたと判断した場合には、前記タイミングマークに基づいて、前記ラベルの先端位置を認識することで、前記プラテンローラの回転を制御して前記ラベル連続体を搬送させながら前記サーマルヘッドを選択的に発熱させて前記ラベルに印字を施し、前記マーク検出手段によって前記クリーニングマークが検出されたと判断した場合には、前記クリーニングマークに基づいて前記プラテンローラの回転を制御して前記クリーニングシートを往復動させることを特徴とする請求項１記載のプリンタに存する。
また請求項３記載の発明の要旨は、前記クリーニングマークと、前記タイミングマークとは、前記ラベル連続体の搬送方向において異なる長さに設定されており、前記制御手段は、前記マーク検出手段から出力される信号幅によって、前記タイミングマークもしくは前記クリーニングマークのいずれであるかを判断することを特徴とする請求項２記載のプリンタに存する。
また請求項４記載の発明の要旨は、前記クリーニングマークと、前記タイミングマークとは、異なる反射率に設定されており、前記制御手段は、前記マーク検出手段から出力される信号レベルによって、前記タイミングマークもしくは前記クリーニングマークのいずれであるかを判断することを特徴とする請求項２記載のプリンタに存する。
また請求項５記載の発明の要旨は、複数枚のラベルが帯状台紙に仮着されているラベル連続体であって、前記帯状台紙に連接されたクリーニングシートと、該クリーニングシートの先端部分と後端部分とにそれぞれ設けられたクリーニングマークとを具備することを特徴とするラベル連続体に存する。
【発明の効果】
【０００８】
本発明のプリンタは、帯状台紙に連接されたクリーニングシートの先端部分と後端部分とにそれぞれ設けられたクリーニングマークを検出し、クリーニングマークの検出に基づき、プラテンローラの回転を制御してクリーニングシートを往復動させるように構成することにより、クリーニングシートの長さが表面コート材のカス、紙粉、塵芥等の除去を確実に行うために必要な相当量よりも短い場合でも、表面コート材のカス、紙粉、塵芥等の除去を確実に行うために必要な相当量分、クリーニングシートを搬送させることができるため、ラベル連続体に設けられた所定長のクリーニングシートを用いたクリーニングで、表面コート材のカス、紙粉、塵芥等を確実に除去し、手作業での清掃の周期を大幅に延長させることができると共に、消耗品であるラベル連続体の省資源化および低コスト化を実現することができるという効果を奏する。
【０００９】
さらに、本発明のプリンタは、マーク検出手段によって、ラベルの先端位置を示すために帯状台紙に設けられたタイミングマークと、クリーニングシートの先端部分と後端部分とにそれぞれ設けられたクリーニングマークとを検出し、マーク検出手段によって検出されたのがタイミングマークもしくはクリーニングマークのいずれであるかを判断し、マーク検出手段によってタイミングマークが検出されたと判断した場合には、タイミングマークに基づいて、ラベルの先端位置を認識することで、プラテンローラの回転を制御してラベル連続体を搬送させながらサーマルヘッドを選択的に発熱させてラベルに印字を施し、マーク検出手段によってクリーニングマークが検出されたと判断した場合には、クリーニングマークに基づいてプラテンローラの回転を制御してクリーニングシートを往復動させるように構成することにより、ラベルの先端位置を示すための帯状台紙に設けられたタイミングマークを検出するセンサを有する従来のプリンタにおけるソフトウェアを改良するのみで、クリーニングマークの検出に基づくクリーニングシートの往復動を実現させることができ、省資源化および低コスト化を実現することができるという効果を奏する。
【発明を実施するための最良の形態】
【００１０】
以下、本発明の実施の形態を図面に基づいて詳細に説明する。
【００１１】
図１は、本発明に係るプリンタの実施の形態の構成を示す構成図であり、図２は、本発明に係るプリンタの実施の形態の構成を示す概略斜視図であり、図３は、本発明に係るプリンタの実施の形態に用いられるラベル連続体例を示す図であり、（ａ）は、表面図であり、（ｂ）は、裏面図である。
【００１２】
本実施の形態のプリンタ１は、図１および図２を参照すると、印字部として、プラテンローラ１１と、発熱体がプラテンローラ１１に対向する面に形成されているサーマルヘッド１２とを有し、感熱紙である複数枚のラベル２が帯状台紙３に仮着されているラベル連続体４をプラテンローラ１１とサーマルヘッド１２との間に挟持し、サーマルヘッド１２の発熱体を選択的に発熱させることにより、ラベル２を感熱発色させて所望の文字、バーコード等の印字を施すように構成されている。
【００１３】
ラベル連続体４は、紙管等の筒状体６にロール状に巻き回された状態、すなわちロール紙として供給部１３に回転自在に支持され、案内ローラ１４を介して供給部１３からプラテンローラ１１とサーマルヘッド１２との間に供給される。
【００１４】
また、本実施の形態のプリンタ１に用いられるラベル連続体４には、図３を参照すると、帯状台紙３にクリーニングシート７が連設されている。クリーニングシート７としては、例えば、ラッピングシートと称される表面に砥粒がコーティングされたシート（サーマルヘッド１２に融着しているカス、例えばラベル２の表面に施されている表面コート材のカス等を削り取る）や、有機溶媒の一種であるヘキサン等からなる清掃液を浸透させることができる液体浸透性の高い紙材等のシート（プラテンローラ１１やラベル連続体４の供給経路に付着している紙分等のカスを除去する）が用いられ、図示しないテープや粘着剤等で帯状台紙３に連設されている。なお、本実施の形態では、図３に示すように、クリーニングシート７を帯状台紙３の中間部分に連設するように構成したが、帯状台紙３の先端部分や後端部分に連設するようにしても良い。
【００１５】
図３（ｂ）を参照すると、帯状台紙３の裏面には、帯状台紙３に仮着されているラベル２の先端位置を示すタイミングマーク８が、クリーニングシート７の裏面には、クリーニングシート７であることを示すクリーニングマーク９がそれぞれ設けられている。なお、タイミングマーク８は、帯状台紙３に仮着されているラベル２の先端位置の間隔で設けられており、帯状台紙３の裏面側に印刷されたアイマークと称される矩形状のマーク（図３（ｂ）参照）や、帯状台紙３に形成されたＧＡＰホールと称される開口等が用いられる。また、クリーニングマーク９は、クリーニングシート７の先端部分と後端部分とにそれぞれ設けられた、タイミングマーク８とは搬送方向における長さが異なるマークや開口である。
【００１６】
供給部１３と印字部との間のラベル連続体４の供給経路には、帯状台紙３およびクリーニングシート７の裏面にそれぞれ設けられているタイミングマーク８およびクリーニングマーク９を検出するマーク検出センサ１７が設けられている。マーク検出センサ１７の出力は、印字制御部１８に入力され、印字制御部１８は、マーク検出センサ１７によって検出されたのがタイミングマーク８もしくはクリーニングマーク９のいずれであるかを判断する。クリーニングマーク９は、タイミングマーク８とは搬送方向における長さが異なるマークや開口であるため、マーク検出センサ１７によって、ラベル連続体４を搬送しながらタイミングマーク８およびクリーニングマーク９を検出することで、マーク検出センサ１７から出力される信号幅によって、タイミングマーク８もしくはクリーニングマーク９のいずれであるかを判断することができる。本実施の形態では、クリーニングマーク９として、図３（ｂ）に示すように、搬送方向における長さがタイミングマーク８よりも長いマークを用いるように構成したが、搬送方向における長さがタイミングマーク８よりも短いマークを用いても、複数のマークを連続して設けてタイミングマーク８と区別できるようにしても良い。また、タイミングマーク８およびクリーニングマーク９との反射率が異なるように設定し、マーク検出センサ１７からの出力の信号レベルによって、タイミングマーク８もしくはクリーニングマーク９のいずれであるかを判断するようにしても良い。
【００１７】
印字制御部１８は、マーク検出センサ１７によってタイミングマーク８が検出されたと判断した場合には、マーク検出センサ１７の出力に基づいて、ラベル２の先端位置を認識することで、プラテンローラ１１を回転駆動する搬送モータ１９を制御して、ラベル連続体４を搬送させながらサーマルヘッド１２の発熱体を選択的に発熱させてラベル２に印字を施す。また、印字制御部１８は、マーク検出センサ１７によってクリーニングマーク９が検出されたと判断した場合には、クリーニングモードに設定し、プラテンローラ１１を回転駆動する搬送モータ１９を制御してラベル連続体４を往復動させるクリーニング動作を行う。
【００１８】
次に、本実施の形態のクリーニング動作について図４および図５を参照して詳細に説明する。
図４は、本発明に係るプリンタの実施の形態におけるクリーニング動作を説明するためのフローチャートであり、図５は、本発明に係るプリンタの実施の形態におけるクリーニング動作を説明するための説明図である。
【００１９】
印字制御部１８は、マーク検出センサ１７によるクリーニングマーク９の検出を監視しており（ステップＡ１）、図５（ａ）に示すように、マーク検出センサ１７によってクリーニングマーク９が検出されると、印字動作を中断し、サーマルヘッド１２をオフにしてラベル連続体４を往復動させるクリーニング動作を行うクリーニングモードに設定する（ステップＡ２）。なお、帯状台紙３に連接されたクリーニングシート７には、先端部分と後端部分とにクリーニングマーク９が設けられており、ステップＡ１では、クリーニングマーク９の先端部分に設けられたクリーニングマーク９が検出されることになる。
【００２０】
まず、印字制御部１８は、変数ｔ＝０に設定すると共に（ステップＡ３）、図５（ａ）に矢印で示すように、搬送モータ１９を制御することでプラテンローラ１１を正回転、すなわちクリーニングシート７を排出する正方向に回転させ、クリーニングシート７を正方向に搬送し（ステップＡ４）、マーク検出センサ１７による次のクリーニングマーク９、すなわちクリーニングシート７の後端部分に設けられたクリーニングマーク９の検出を監視する（ステップＡ５）。
【００２１】
図５（ｂ）に示すように、マーク検出センサ１７によって、クリーニングマーク９の後端部分に設けられたクリーニングマーク９が検出されると、印字制御部１８は、変数ｔをインクリメントし（ステップＡ６）、変数ｔが予め定められている所定数ｎに到達したか否かを判断する（ステップＡ７）。
【００２２】
ステップＡ７で変数ｔが予め定められている所定数ｎに到達していない場合には、印字制御部１８は、図５（ｂ）に矢印で示すように、搬送モータ１９を制御することでプラテンローラ１１を逆回転、すなわち、クリーニングシート７を筐体内に引き込む逆方向に回転させ、クリーニングシート７を逆方向に搬送し（ステップＡ８）、マーク検出センサ１７によるクリーニングシート７の先端部分に設けられたクリーニングマーク９の検出を監視し（ステップＡ９）、マーク検出センサ１７によってクリーニングシート７の先端部分に設けられたクリーニングマーク９が検出されると、ステップＡ４に戻って、搬送モータ１９を制御することでプラテンローラ１１を再び正回転、すなわちクリーニングシート７を排出する正方向に回転させ、クリーニングシート７を正方向に搬送する。これにより、変数ｔが予め定められている所定数ｎに到達するまで、ステップＡ４〜ステップＡ９の動作が繰り返されることになり、クリーニングシート７がプラテンローラ１１とサーマルヘッド１２とで挟持搬送され、複数回往復動されることになり、クリーニングを効率的に行うことができる。
【００２３】
ステップＡ７で変数ｔが予め定められている所定数ｎに到達した場合には、印字制御部１８は、クリーニングモードを解除し（ステップＡ１０）、クリーニング動作を終了させる。
【００２４】
なお、本実施の形態では、マーク検出センサ１７によってタイミングマーク８およびクリーニングマーク９を検出するように構成したが、マーク検出センサ１７では、タイミングマーク８のみを検出するように構成し、クリーニングマーク９を検出するためのセンサを新たに設けるようにしても良い。
【００２５】
さらに、本実施の形態では、クリーニングモードでは、マーク検出センサ１７によってクリーニングマーク９を検出する毎に搬送方向を反転させるように構成したが、クリーニングシート７の先端部分と後端部分と設けられたクリーニングマーク９をそれぞれ検出することでクリーニングシート７の先端と後端の位置を認識し、認識したクリーニングシート７の先端と後端の位置に基づいて搬送方向の反転を制御するようにしても良い。
【００２６】
以上説明したように、本実施の形態によれば、マーク検出センサ１７によって、帯状台紙３に連接されたクリーニングシート７の先端部分と後端部分とにそれぞれ設けられたクリーニングマーク９を検出し、印字制御部１８は、マーク検出センサ１７によるクリーニングマーク９の検出に基づき、プラテンローラ１１の回転を制御してクリーニングシート７を往復動させるように構成することにより、クリーニングシート７の長さが表面コート材のカス、紙粉、塵芥等の除去を確実に行うために必要な相当量よりも短い場合でも、表面コート材のカス、紙粉、塵芥等の除去を確実に行うために必要な相当量分、クリーニングシート７を搬送させることができるため、ラベル連続体４に設けられた所定長のクリーニングシート７を用いたクリーニングで、表面コート材のカス、紙粉、塵芥等を確実に除去し、手作業での清掃の周期を大幅に延長させることができると共に、消耗品であるラベル連続体４の省資源化および低コスト化を実現することができるという効果を奏する。
【００２７】
さらに、本実施の形態によれば、マーク検出センサ１７によって、ラベル２の先端位置を示すために帯状台紙３に設けられたタイミングマーク８と、クリーニングシート７の先端部分と後端部分とにそれぞれ設けられたクリーニングマーク９とを検出し、印字制御部１８は、マーク検出センサ１７によって検出されたのがタイミングマーク８もしくはクリーニングマーク９のいずれであるかを判断し、マーク検出センサ１７によってタイミングマーク８が検出されたと判断した場合には、タイミングマーク８に基づいて、ラベル２の先端位置を認識することで、プラテンローラ１１の回転を制御してラベル連続体４を搬送させながらサーマルヘッド１２を選択的に発熱させてラベル２に印字を施し、マーク検出センサ１７によってクリーニングマーク９が検出されたと判断した場合には、クリーニングマーク９に基づいてプラテンローラ１１の回転を制御してクリーニングシート７を往復動させるように構成することにより、ラベル２の先端位置を示すための帯状台紙３に設けられたタイミングマーク８を検出するセンサを有する従来のプリンタにおけるソフトウェアを改良するのみで、クリーニングマーク９の検出に基づくクリーニングシート７の往復動を実現させることができ、省資源化および低コスト化を実現することができるという効果を奏する。
【００２８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２９】
【図１】本発明に係るプリンタの実施の形態の構成を示す構成図である。
【図２】本発明に係るプリンタの実施の形態の構成を示す概略斜視図である。
【図３】本発明に係るプリンタの実施の形態に用いられるラベル連続体例を示す図であり、（ａ）は、表面図であり、（ｂ）は、裏面図である。
【図４】本発明に係るプリンタの実施の形態におけるクリーニング動作を説明するためのフローチャートである。
【図５】本発明に係るプリンタの実施の形態におけるクリーニング動作を説明するための説明図である。
【符号の説明】
【００３０】
１  プリンタ
２  ラベル
３  帯状台紙
４  ラベル連続体
６  筒状体
７  クリーニングシート
８  タイミングマーク
９  クリーニングマーク
１１  プラテンローラ
１２  サーマルヘッド
１３  供給部
１４  案内ローラ
１７  マーク検出センサ
１８  印字制御部
１９  搬送モータ
【図１】
2008126489.tif 000003
【図２】
2008126489.tif 000004
【図３】
2008126489.tif 000005
【図４】
2008126489.tif 000006
【図５】
2008126489.tif 000007